【事件の表示】
　上記当事者間の特許第３０９１７５４号発明「自動洗髪機」の特許無効審判事件について、次のとおり審決する。
【結　論】
　特許第３０９１７５４号の請求項１ないし３に係る発明についての特許を無効とする。
　審判費用は、被請求人の負担とする。
【理　由】
１．手続の経緯・本件発明
　本件特許第３０９１７５４号の請求項１ないし３に係る発明（以下、「本件特許発明１ないし３」という。）についての出願は、平成７年６月２８日に出願した特願平７−１６２５８２号の一部を平成１１年１０月７日に新たな特許出願としたものであって、平成１２年７月２１日にその発明について特許の設定登録がされたものである。
　そして、本件特許発明１ないし３は、特許明細書及び図面の記載からみて、その特許請求の範囲の請求項１ないし３に記載された次のとおりのものである。
「【請求項１】洗髪に使用する温水を溜めるための貯湯タンクと、温水噴射用ノズルと、
上記貯湯タンクに溜められている温水を汲み出して上記温水噴射用ノズルに与えるためのポンプと、
洗髪コースに従って被洗髪者の髪を自動的に洗髪するよう指示するためのスタートキーと、
上記温水噴射用ノズルに至る経路に溜まっている水を前記温水噴射ノズルを通じて排出する処理の実行を手動で指示するための水抜きキーと、を有し、
前記スタートキーが操作されると、洗髪コースに従って前記ポンプを駆動して洗髪を実行し、前記スタートキーが操作されていない場合において前記水抜きキーが操作されると、前記ポンプが駆動され、前記温水噴射ノズルに至る経路に溜まっている水を排水する処理を実行するマイクロコンピュータを備えたことを特徴とする自動洗髪機。
【請求項２】前記マイクロコンピュータは、前記水抜きキーが操作されると、前記ポンプを予め定める条件に従って駆動することを特徴とする請求項１記載の自動洗髪機。
【請求項３】前記マイクロコンピュータは、前記スタートキーが操作されていない場合であって、前記貯湯タンクへの給湯中または給湯完了後に前記水抜きキーの操作を受け付けることを特徴とする請求項１記載の自動洗髪機。」
　
２．請求人の主張
　これに対して、請求人は、本件特許を無効とする、との審決を求め、その理由として、本件特許発明１ないし３は、本件出願前に頒布された刊行物に記載された発明に基づいて当業者が容易に発明をすることができたものであるから、その特許は無効とされるべきであると主張し、証拠方法として、下記の甲第１号証ないし甲第９号証を提出している。
甲第１号証：自動洗髪機品番ＨＳ−８０１ＴＳ（アクアバイブロ８０１型）取扱説明書
甲第２号証：自動洗髪機アクアバイブロ８０１型及び８０２型に関する作動状況を示すビデオテープ
甲第３号証：甲第２号証ビデオテープの説明書
甲第４号証：［自動洗髪機］アクアバイブロ販売１０００台達成記念懸賞論文入選作品　表紙、目次、第１、６、７頁
甲第５号証：実願平５−６０８８９号（実開平７−３０９０２号）のＣＤ−ＲＯＭ
甲第６号証：特開平６−２１７８１９号公報
甲第７号証：実願平５−２９９６３号（実開平６−８７４８６号）のＣＤ−ＲＯＭ
甲第８号証：特開平６−２２８７８号公報
甲第９号証：特開平６−１４２００１号公報
　
３．被請求人の主張
　一方、被請求人は、請求人の主張に対して、概ね以下の旨主張している。
　
（１）甲第１号証ないし甲第４号証による請求人の主張は、本件特許発明１ないし３の構成と旧型（アクアバイブロ８０１型）の構成とを対比するものではなく、本件特許発明１ないし３と旧型の構成との関係については全く触れておらず、旧型は本件特許発明１ないし３の構成を具備していないから、旧型の存在は、本件特許発明１ないし３の新規性及び進歩性を阻害するものではない。
　
（２）本件特許発明１と甲第５号証に記載のものとは、次の点で相違する。
ａ．前者が手動で指示するための水抜きキーを有し、スタートキーが操作されていない場合において前記水抜きキーが操作されると、温水噴射ノズルに至る経路に溜まっている水を排水する処理が実行され、スタートキーの操作により洗髪が実行されるのに対し、後者にはかかる水抜きキーは存在せず、所定時間毎に、又は、残水が設定温度以下の場合に自動的に捨て水され、洗髪スイッチオンにより、温水噴射ノズルからの捨て水処理が行われた後、洗髪が実行される点
ｂ．後者において、時間又は温度をパラメータとして自動的に行われる捨て水処理は、温水噴射ノズルに至る経路に溜まっている水ではなく、流路中途からの捨て水であり、シャワーヘッドの開閉弁を開けて捨て水をする捨て水処理においても、全ての温水噴射ノズルの冷水が捨てられるわけではない点
　
　そして、前記相違に関して、以下のように主張する。
ｃ．甲第５号証に記載のものは、時間又は温度をパラメータとして自動的な残水排出を行っているものであって、必要な時期にだけ残水の排出を行うという本件特許発明１の技術的思想とは異なる。
ｄ．甲第５号証に記載の、時間又は温度をパラメータとして自動的に行われる捨て水処理では、流路中途からの捨て水が行われていると説明されているだけである。
ｅ．甲第７号証に記載の捨て水ボタンは、シャワー摘み及びチャーム摘みの操作の有無に関わらず、これとは別に操作することができる構成であり、また、ノズル及びノズルにつながる配管に残った残水まで排出されるものではない。そして、甲第５号証に記載のものにおいて時間又は温度をパラメータとして、定期的に自動で行っていた捨て水処理は、甲第７号証に記載の手動操作と置換できるものではない。
ｆ．甲第８号証及び甲第９号証に記載の水抜き処理は、配管やホース内を空にするための処理で、本件特許発明１や甲第５号証の水抜き処理及び捨て水処理とは全く異なる処理であり、甲第８号証及び甲第９号証の水抜き処理を、甲第５号証の捨て水処理に適用することはできない。
　
（３）本件特許発明２と甲第５号証に記載のものとは、上記３．（２）で主張した点に加え、次の点で相違する。
ａ．本件特許発明２は、その構成要件にポンプを含み、マイクロコンピュータが当該ポンプを予め定める条件に従って駆動することにより、その噴射態様が所定の態様となる点
　
　そして、前記相違に関して、以下のように主張する。
ｂ．甲第５号証に記載の電磁弁は流路を開閉する機能しかなく、その流路を通ってノズルから噴射される残水の噴射態様を変化させることはできない。また、甲第６号証には水抜きキーは教示されておらず、水抜きキーが操作されると、ポンプを予め定める条件に従って駆動するマイクロコンピュータについては示唆もされていない。
　
（４）本件特許発明３と甲第５号証に記載のものとは、上記３．（２）で主張した点に加え、次の点で相違する。
ａ．水抜きキーの操作は、スタートキーが操作されていない場合であって、貯湯タンクへの給湯中、またはスタートキーが操作されていない場合であって、貯湯タンクへの給湯完了後に受け付けられるものである点
　
　そして、前記相違に関して、以下のように主張する。
ｂ．甲第５号証及び甲第６号証には、水抜きキーが存在せず、水抜きキーの操作が上記（４）ａ．で述べた場合に受け付けられるとの教示や示唆がない。
　
（５）よって、自動洗髪機アクアバイブロ８０１型の存在は、本件特許発明１ないし３の新規性及び進歩性を何ら阻害するものではなく、また、本件特許発明１ないし３は、甲第５号証ないし甲第９号証から当業者が容易に想到することができたものではない。したがって、本件特許発明１ないし３は、特許法第２９条第２項の規定により特許を受けることができないとの請求人の主張は誤りである。
　
４．甲各号証
　請求人が証拠として提出した甲各号証中、甲第５号証ないし甲第９号証には、それぞれ以下のものが記載されている。
　
（１）甲第５号証
ａ．「本考案は、自動捨て水装置、より詳しくは、給湯源とこの給湯源に接続され電磁弁の開閉によって吐水及び停止を行う吐水装置を備えた自動洗髪機等の自動捨て水装置に関する。」（段落【０００１】）
ｂ．「ところが、使用後長時間放置しておくと、湯の供給源とノズルまでの流路に残っている湯が冷えてしまう。このため、再び使用するときには、この流路中に残って冷たくなった水が押し出されるようにしてノズルから放出されることになり、特に冬の寒冷期では使用者に不快感を与えてしまう。」（段落【０００７】）
ｃ．「【課題を解決するための手段】
　本考案の自動水捨て装置は、上記課題を解決するために、給湯源と該給湯源に接続され電磁弁の開閉によって吐水及び停止を行う吐水装置を備え、さらに前記給湯源と吐水装置の流路中途に、前記電磁弁閉止後所定時間経過して、又は前記電磁弁が閉止状態の時の残水が設定温度以下の場合に、前記流路内の残水を自動的に排除する制御系を備えたことを特徴とする。」（段落【００１１】）
ｄ．「ハウジング２の内部には、シャワーヘッド３，５，ノズルヘッド４及びハンドシャワー６にそれぞれ適当な温度の温水を供給する湯水混合栓９を備える。湯水混合栓９からの混合水供給経路９ａには、シャワーヘッド３，５，ノズルヘッド４及びハンドシャワー６の全てが接続され、シャワーヘッド３，５に向かう水側及び湯側の流路にそれぞれ逆止弁９ｂ，９ｃを備える。逆止弁９ｃには捨て水用サーミスタ１２が連設され、さらにサーミスタ１２には捨て水用電磁弁１３を備えた捨湯流路９ｄが接続される。」（段落【００２３】）
ｅ．「この捨て水用電磁弁１３は、図１に示す操作パネル１ｄ及び図７に示すコントロール部２０に連動しており、吐水開始時、２０分毎に自動的に開弁され、給湯源からサーミスタ１２間の冷えた湯が捨湯流路９ｄから洗面ボール１内に排出される。」（段落【００２４】）
ｆ．「さらに、シャワーヘッド３，５及びハンドシャワー６に向かう分岐流路のそれぞれに電磁弁を用いた開閉弁３ａ〜３ｉ，５ａ，６ｇを組み込む。」（段落【００２５】）
ｇ．「 以上の構成において、自動洗髪スイッチオンによって、電磁弁１１が開き、ボール１内の捨て水ノズル（図示せず）から吐水が開始し、給湯温度がサーミスタ１２で温度４７度を感知したら電磁弁１１を閉じ、シャワーヘッド３やノズルヘッド４等へ適温湯が供給される。また、電磁弁１１を閉じると同時に、洗面機から吐水が飛び出ない位置に設けられたシャワーヘッド３の開閉弁３ｄが開かれ、その後順次残りの電磁弁を開けて捨て水を完了する。」（段落【００２９】）
ｈ．「初期洗浄の際にはシャワーヘッド３，５から湯を放出して髪を濡らし、その後ノズルヘッド４からシャンプー液を放出してシャンプーする。次いで、シャンプー過程が終わると、各シャワーヘッド３，５からの湯や水の吐出によって濯ぎが行われる。」（段落【００３０】）
ｉ．「ここで、先の使用後に流路系に残る湯や水が冷えてこれが吐出されるのを防ぐため、上記したように、シャワーヘッド３，５，ノズルヘッド４、又はハンドシャワー６からの吐水終了後２０分継続して再度の使用がない場合、上記した捨て水制御（２０分間隔毎の捨て水）が行われる。これによって、前回の使用から長時間たっている場合でも、混合水供給経路９ａ中は常に適温となっているので、従来のように捨て水を長時間することなく、シャワーヘッド３，５、ノズルヘッド４及びハンドシャワー６にただちに適温の湯を供給することが可能となる。」（段落【００３１】）
ｊ．「なお、上記実施例では、電磁弁閉止後２０分毎に捨て水する構成としたが、無論これに限定されず、例えば混合水供給経路９ａ中にサーミスタを設け、混合水供給経路９ａの中の残水がたとえば４０℃以下となったときに捨て水する構成としてもよい。この場合、先の実施例に比べ、特に無駄な捨て水を排除することができる。また、本考案の捨て水装置は、上記自動洗髪機に限らず、一般の水栓やボディシャワー装置等にも適用可能である。」（段落【００３２】）
と記載されている。
　また、図７において、混合水供給経路９ａには、サーミスタ１２と同様の黒点が図示されている。
　
　ここで、甲第５号証の記載について、以下のことがいえる。
（１−１）上記ｇ．の記載においては、「電磁弁１１」となっているが、ｄ．及びｅ．の記載並びに図７に記載の配管系統からみて、「電磁弁１３」の誤記であることは明らかである。
　
（１−２）２０分間隔毎の捨て水又は混合水供給経路９ａの中の残水が４０℃以下となったときの捨て水は、混合水供給経路９ａを含む、シャワーヘッド、ノズルヘッド、又はハンドシャワーに至る経路に溜まっている水も含めて排水されるものであることが、以下のことから明らかである。
ア．上記ｊ．のとおり、「例えば混合水供給経路９ａ中にサーミスタを設け、混合水供給経路９ａの中の残水がたとえば４０℃以下となったときに捨て水する」と明記され、しかも、説明はないが、サーミスタが９ａに図示されていること。
　なお、上記ｊ．において「電磁弁閉止後２０分毎」の電磁弁は、シャワーヘッド、ノズルヘッド、又はハンドシャワーに設けられた３ａ〜３ｉ、４ａ、５ａ、６ｇである。（請求の範囲等での「吐水装置」の電磁弁も同じ。）
イ．上記ｂ．のとおり、この甲第５号証の考案の課題が、給湯源からノズルまでの流路の湯が、再使用時に冷えているのを防ぐことであるから、その解決手段として、「さらに前記給湯源と吐水装置（注：シャワーヘッド等）の流路中途に、・・・前記流路内の残水を」（段落【００１１】）の流路に、ノズルまでの経路が含まれないとは考えられないこと。
ウ．上記ｅ．の段落【００２４】の記載は、装置の構成を順次説明する上で、電磁弁１３と流路９ａに関して説明しているもので、この記載から、２０分毎の捨て水が、電磁弁１３を開弁するだけであって、その下流の９ａの捨て水を含まないということにはならないこと。
エ．電磁弁１３からの捨て水と、シャワーヘッドからの捨て水の、両方を通しての説明（段落【００２９】）がされていること。
オ．上記ｉ．のとおり、２０分毎の捨て水で、前回の使用から長時間たっている場合でも、混合水供給経路９ａ中は適温となっており、シャワーヘッド等にただちに適温の湯を供給することができると明記されていること。
　
（１−３）段落【００２９】では、自動洗髪スイッチオンによって、捨て水が行われる記載がされているが、上記（１−２）（特に課題に関するイ．）の理由から、装置を始動したときの最初の洗髪等においては、段落【００２９】のような捨て水が行われるにしても、段落【００３１】に、「先の使用後に・・・ただちに適温の・・・」と記載されているように、それ以後の自動洗髪においては、その開始時に捨て水の必要がないことは明らかである。
　
（１−４）上記（１−３）のとおり、段落【００２９】での「自動洗髪スイッチ」が、被洗髪者の洗髪を指示、スタートさせるスタートキーであるのか必ずしも明確でないが、甲第５号証の装置が、被洗髪者の洗髪を指示、スタートさせるスタートキーを備えていることは、技術常識から明らかである。
　
（１−５）確かに被請求人主張の通り、甲第５号証の捨て水処理の記載は、必ずしも明確ではない点や誤記もあるが、以上から、少なくとも以下の発明が記載されていると認められる。
「被洗髪者の洗髪を指示、スタートさせるスタートキーによって、洗髪コースに従って、初期洗浄、シャンプー、及び濯ぎを行う自動洗髪装置であって、シャワーヘッド３，５，ノズルヘッド４、又はハンドシャワー６からの吐水終了後２０分継続して再度の使用がない場合、又は混合水供給経路９ａの中の残水が例えば４０℃以下となったときに、コントロール部に連動した電磁弁１３が開き、ボール１内の捨て水ノズルから吐水が開始し、給湯温度がサーミスタ１２で温度４７度を感知したら電磁弁１３を閉じ、シャワーヘッド３やノズルヘッド４等へ適温湯が供給され、また、電磁弁１３を閉じると同時に、洗面機から吐水が飛び出ない位置に設けられたシャワーヘッド３の開閉弁３ｄが開かれ、その後順次残りの電磁弁を開けて、自動的に捨て水をする構成とした自動洗髪機。」
が記載されていると認められる。
　
（２）甲第６号証
ａ．「さらに、貯湯タンク８７の下方位置は、流出管９６を介して、インバータ１０６により仕事量が可変されるポンプ９５の吸込側に接続されている。そして、ポンプ９５が駆動されると、タンク８７に貯留された温水は流出管９６を通ってポンプ９５に吸い込まれる。ポンプ９５の吐出側には、上ノズルリンク５５に洗浄水を供給する第１供給管３０１が接続されている。・・・また、排水管９１の途中部には排水バルブ９８が設けられている。」（段落【００５５】）
ｂ．「また、マイクロコンピュータ１１０は、図８に示す貯湯バルブ８５、捨水バルブ９４、上ノズル用バルブ９６Ａ、下ノズル用バルブ９６Ｂ、ロング用バルブ９７、排水バルブ９８、シャンプーバルブ１０２、トリートメントバルブ１０４および図６に示すリンクモータ７１へ制御信号を出力し、これらのバルブおよびモータを制御する。
　さらに、マイクロコンピュータ１１０は、図８に示すインバータ１０６を制御して、ポンプ９５を所定の仕事率で駆動させる。・・・
　電源がＯＮされると、待機モードに入る。その後、給湯キー２１がＯＮ操作されると、貯湯バルブ８５を開いて給湯モードに入り、その後スタンバイモードに入る。なお、待機モードの詳細な制御の流れについては後に詳述する。そして、洗髪運転がスタートされると、図２に示す洗浄コース選択キー３５によって選択された洗浄コースに則して洗髪運転される。つまり、フルコースが選択されていると、当該洗髪コースに則した洗髪モードに入り、初期排水→弱洗浄→予洗→本洗→すすぎ１→トリートメント→すすぎ２といった行程を経て洗髪が終了する。・・・なお、弱洗浄、予洗、本洗、すすぎ１、トリートメントおよびすすぎ２の各行程の制御動作については、特願平４−４１５５０号等で開示した自動洗髪機と同様であるので説明を省略する。」（段落【００６４】〜【００６６】）
との記載からみて、
「貯湯タンクと、ノズルと、前記貯湯タンクに貯留された温水を前記ノズルに供給するためのポンプとを備え、さらに、洗髪運転がスタートされると、初期排水、弱洗浄、予洗、本洗、すすぎ、トリートメント、すすぎをするために前記ポンプを駆動させるマイクロコンピュータを備えた自動洗髪機。」
が記載されていると認められる。
　
（３）甲第７号証
ａ．「このように構成された温水洗浄装置において、シャワー用摘み８８を操作してシャワー用流調弁５２を開弁させると、温水がシャワーノズル５８に導入され、ノズル本体５８ａが前進してその先端から温水が噴出される。チャーム用摘み９０を操作してチャーム用流調弁６０を開弁すると、同様にしてチャームノズル６６のノズル本体６６ａが前進してその先端から温水が噴出される。捨て水ボタン９２を操作して捨て水用開閉弁７０を開弁させると、配管５０及びそれよりも上流側の流路内の水が捨て水配管７４を介して洋風便器７８の便鉢７８ａ内に排出される。」（段落【００２１】）
との記載、及び図１に記載の構成系統図からみて、
「捨て水ボタンを押して捨て水用開閉弁を開弁させると、捨て水用配管及びそれよりも上流側の流路内の水が捨て水用配管を介して便鉢内に排出されるようにした、捨て水ボタンを備えた温水洗浄装置。」
が記載されていると認められる。なお、シャワー用配管及びチャーム用配管は、捨て水用配管とは分岐しているため、シャワー用配管内の水及びチャーム用配管内の水は、前記捨て水によっては排出されない。
　
（４）甲第８号証
ａ．「図１４には水抜きのため押釦スイッチＳＷ７を押圧操作し全部の電磁弁ＳＶ１〜電磁弁ＳＶ６を開かしめる際のタイミングチャートを示す。押釦スイッチＳＷ７が操作されると先ず電磁弁ＳＶ１が開弁し、それから５０ミリ秒後に電磁弁ＳＶ２が開弁し、さらに５０ミリ秒後に電磁弁ＳＶ３が開弁し、さらに５０ミリ秒後に電磁弁ＳＶ４、さらに５０ミリ秒後に電磁弁ＳＶ５、さらに５０ミリ秒後に電磁弁ＳＶ６が開作動するようになっている。そして発光ダイオードＬＥＤ７が点滅し水抜中であることを表示すると共に、それから水抜きに必要な例えば１０分間経過後に電磁弁ＳＶ１から電磁弁ＳＶ６の順に夫々２０ミリ秒後の間隔を置いて自動的に閉弁する。なお、この閉弁動は押釦スイッチＳＷ８により任意に行うこともできる。また、他の電磁弁ＳＶ１〜ＳＶ６が開弁時であってもこの水抜きを優先させている。そして、水抜き中は他のスイッチの操作は受け付けない。」（段落【００２９】）
との記載、及び図１に記載のブロック図からみて、
「水抜きのための押釦スイッチが操作されると、各シャワー及びノズル用の電磁弁を、所定時間又は閉弁を指示する押釦スイッチが押されるまで、順次全て開弁させ、水抜きを行うようにした、水抜きのための押釦スイッチを備えたシャワー装置。」
が記載されていると認められる。なお、ここで「水抜き」とはパイプ内の水をどうすることであるのか不明瞭である。
　
（５）甲第９号証
ａ．「【作用】 初期吐水温度として例えば４０℃前後の人体に刺激の少ない温度に設定しておけば、止水操作後、所定時間経過してから吐水操作が行なわれた場合には常にその初期吐水温度の混合水でシャワー散水が開始されるようになり、不快感や危険をなくせる。」
（段落【０００５】）
ｂ．「次に、このシャワー装置の作動を図４のフローチャートおよび図５〜図８のタイミングチャートに従い説明する。図５に示したように、先ず、スイッチＳＷ１を押すと発光ダイオードＬＥＤ１が点灯し元バルブＭＶ１が開かれ該発光ダイオードＬＥＤ１は５秒後に消灯する。元バルブＭＶ１が開かれると混合弁１より混合水が流れ出てこの混合水は温度検出器６、および開放状態にある排水弁ＳＶ７を経て排水ホース８に排出される。そして温度検出器６にて検出されたこの混合水の温度情報はコントローラ１２の制御部１５に入力され、制御部１５では初期吐水温度メモリ３５に予め設定されている初期温度（４０℃前後の体感に刺激を与えない温度）と、その検出温度とが比較されその駆動部１６，駆動装置４を介して混合弁１をフィードバック制御し混合比を調整することによって温度検出器６で検出される混合水温度をその初期温度に自動調節し、調節が出来たところで排水弁ＳＶ７を閉止し、吐水バルブＳＶ１を開かしめる。・・・なおこの吹出は押釦スイッチＳＷ８を押して止水操作をすることによりステップｏ→ｐ→ｑ→ｒに示したように元バルブＭＶ１，吐水バルブＳＶ１が閉じられ排水弁ＳＶ７が開き止水する。」（段落【００１６】）
ｃ．「また止水操作から所定時間以上（例えば７分以上）経過してから押釦スイッチＳＷ１乃至ＳＷ５が操作された場合、或いは所定時間以内に温度設定スイッチ３７，３８が操作され任意吐水温度設定器３４の設定吐水温度が変更された場合は図４のステップｄ→ｅ→ｆが履行され上記と同様に初期吐水温度メモリ３５に予め設定されている初期吐水温度の混合水が先ず吐出してから任意吐水温度設定器３４に設定された吐水温度に次第に移行するようになる。図５のマル１はこのように止水操作から所定時間内に押釦スイッチＳＷ５が操作された場合の吐水バルブＳＶ５，排水弁ＳＶ７の作動を例示し、マル２は止水操作から所定時間内に任意吐水温度設定器３４の設定が変更されて押釦スイッチＳＷ５が操作された場合の吐水バルブＳＶ５，排水弁ＳＶ７の作動を例示する。」（段落【００２０】）
ｄ．「図８には水抜きのための押釦スイッチＳＷ７を押圧操作し全部の吐水バルブＳＶ１〜吐水バルブＳＶ６を開かしめる際のタイミングチャートを示す。押釦スイッチＳＷ７が操作されると先ず吐水バルブＳＶ１が開弁し、・・・、それから水抜きに必要な例えば１０分間経過後に吐水バルブＳＶ１から吐水バルブＳＶ６の順に夫々２０ミリ秒後の間隔を置いて自動的に閉弁する。この閉作動は押釦スイッチＳＷ８により任意に行うこともできる。また、他の吐水バルブＳＶ１〜ＳＶ６が開弁時であってもこの水抜きを優先させている。そして、水抜き中は他のスイッチの操作は受け付けない。このように水抜のため全部の吐水バルブＳＶ１〜吐水バルブＳＶ６に開弁或いは閉弁の指令信号を出すに際しては、その各吐水バルブの所要作動時間以上の時間差を置いて順次作動させるようにすることにより電源電池に一時に過大な負荷が掛からないようにしている。」（段落【００２３】）
との記載、及び図１に記載のブロック図、図８に記載のタイミングチャートからみて、
「混合水の温度が初期温度になるまで排水弁を経て排水ホースに排出され、その後吐出バルブが開かれることで、初期吐水温度の混合水でシャワー散水が開始されるとともに、水抜きのための押釦スイッチが操作されると、各シャワー及びノズル用の電磁弁を、所定時間又は閉弁を指示する押釦スイッチが押されるまで、順次全て開弁させ、水抜きを行うようにした、水抜きのための押釦スイッチを備えたシャワー装置。」
が記載されていると認められる。なお、ここで「水抜き」の際には元バルブが閉となっていることから、「水抜き」とはパイプ内の水を空にすることであるものと認められる。
　
５．対比
（１）本件特許発明１について
　本件特許発明１と、甲第５号証に記載のものとを対比すると、後者における「シャワーヘッド」及び「ノズルヘッド」は、適温湯が供給されかつ吐水するものであるから、前者における「温水噴射用ノズル」に相当し、後者における「コントロール部」は、捨て水のための電磁弁を開閉して捨て水を行わせるものであり、またコントロール部をマイクロコンピュータで構成することは普通に行われていたことであるから、前者における「マイクロコンピュータ」に相当する
　また、後者において、シャワーヘッド及びノズルヘッドに至る経路の捨て水において、最初に開かれる開閉弁３ｄに続いて順次開かれる電磁弁がいずれであるのか不明確ではあるが、少なくとも開閉弁３ｄに至る経路及び３ｄに続いて順次開かれるいくつかの電磁弁に至る経路に溜まっている水は排水されるものであるから、前者における「温水噴射用ノズルに至る経路に溜まっている水を排水する処理」が実行されているものである。
　したがって両者は、
「温水噴射用ノズルと、
洗髪コースに従って被洗髪者の髪を自動的に洗髪するよう指示するためのスタートキーと、を有し、
前記スタートキーが操作されると、洗髪コースに従って洗髪を実行し、前記温水噴射ノズルに至る経路に溜まっている水を排水する処理を実行するマイクロコンピュータを備えた自動洗髪機。」
である点で一致し、以下の点で相違する。
［相違点１］
　本件特許発明１では、貯湯タンクとポンプとを備え、該ポンプによって前記貯湯タンクにためられている温水をくみ出して温水噴射用ノズルに与えるものであるのに対し、甲第５号証に記載のものでは、このような貯湯タンク及びポンプについては記載がない点。
［相違点２］
　本件特許発明１では、排水処理の実行を手動で指示するための水抜きキーを備え、前記マイクロコンピュータは、スタートキーが操作されていない場合において前記水抜きキーが操作されると、ポンプを駆動し、前記温水噴射ノズルに至る経路に溜まっている水を排水する処理を実行するのに対し、甲第５号証に記載のものでは、このような水抜きキーは備えておらず、マイクロコンピュータに相当するコントロール部は、シャワーヘッド、ノズルヘッド、又はハンドシャワーからの吐水終了後２０分継続して再度の使用がない場合、又は混合水供給経路中の残水が例えば４０℃以下となったときに、排水を自動的に行う点。
　
（２）本件特許発明２について
　本件特許発明２は、本件特許発明１の構成を全て備え、さらにマイクロコンピュータの構成を、「水抜きキーが操作されると、ポンプを予め定める条件に従って駆動する」と限定するものである。そして、本件特許発明２と甲第５号証に記載のものとは、前記５．（１）で挙げた一致点で一致し、前記５．（１）で挙げた相違点に加え、以下の点で更に相違する。
［相違点３］
　本件特許発明２では、マイクロコンピュータは、水抜きキーが操作されると、ポンプを予め定める条件に従って駆動するものであるのに対し、甲第５号証に記載のものでは、マイクロコンピュータに相当するコントロール部は、そのような水抜きキーの操作に伴う処理を行わない点。
　
（３）本件特許発明３について
　本件特許発明３は、本件特許発明１の構成を全て備え、更にマイクロコンピュータの構成を、「スタートキーが操作されていない場合であって、貯湯タンクへの給湯中または給湯完了後に水抜きキーの操作を受け付ける」と限定するものである。そして、本件特許発明３と甲第５号証に記載のものとは、前記５．（１）で挙げた一致点で一致し、前記５．（１）で挙げた相違点に加え、以下の点で更に相違する。
［相違点４］
　本件特許発明３では、マイクロコンピュータは、スタートキーが操作されていない場合であって、貯湯タンクへの給湯中または給湯完了後に水抜きキーの操作を受け付けるものであるのに対し、甲第５号証に記載のものでは、マイクロコンピュータに相当するコントロール部は、そのような水抜きキーの操作を受け付けるか否かの判断を行わない点。
　
６．当審の判断
　以下、前記相違点について検討する。
（１）相違点１について
　自動洗髪機において、貯湯タンクとポンプとを備え、該ポンプによって前記貯湯タンクにためられている温水をくみ出して温水噴射用ノズルに与えるものは、甲第６号証にも記載されているように、本件出願前から周知となっているものであって、甲第５号証に記載のものにおいても、前記貯湯タンクとポンプとを備えた構成を採用することを妨げる特段の理由は認められないから、甲第５号証に記載のものにおいて、貯湯タンクとポンプとを備え、該ポンプによって前記貯湯タンクにためられている温水をくみ出して温水噴射用ノズルに与える構成とすることは、当業者が容易に想到し得たことと認められる。
　
（２）相違点２について
　甲第５号証に記載のものは、捨て水を時間又は温度により自動的に行うものであるが、自動洗髪機の捨て水処理に限らず、ある機能を自動で行うものから、該機能を手動で行うものに変更することは、技術的にも着想の点からも、格別の困難性を有するものとは認められず、甲第５号証に記載のものにおいても、コントロール部が行っていた時間又は温度に基づく判断を使用者が行い、それに基づいて捨て水処理を使用者が手動で行う構成とすることを妨げる特段の理由は認められない。また、管路内に溜まっている水を排水するための手動スイッチを備えることは、甲第７号証ないし甲第９号証に記載されているように、本件出願前から周知のことに過ぎない。さらに、このような捨て水処理は、洗髪行程の実行中に行うものでないことも当然であるから、水抜きの手動スイッチは、洗髪のためのスタートキーが操作されていない場合に操作されることも当然の事項に過ぎない。
　したがって、甲第５号証に記載のものにおいて、捨て水処理の実行を手動で指示するための水抜きキーを備え、マイクロコンピュータに相当するコントロール部は、スタートキーに相当する自動洗髪スイッチが操作されていない場合において前記水抜きキーが操作されると、ポンプを駆動し、シャワーヘッド及びノズルヘッドに至る経路に溜まっている水を排水する処理を実行する構成とすることは、当業者が容易に想到し得たことと認められる。
　
（３）相違点３について
　上記相違点１について検討したように、甲第５号証に記載のものにおいて、ポンプを駆動して湯を供給するものとすることは、当業者が容易に想到し得たものであり、ポンプを捨て水処理の際にも予め定める条件に応じて駆動することは、当然行われるべきことに過ぎないことと認められる。
　
（４）相違点４について
　「貯湯タンクへの給湯中または給湯完了後」以外の場合として通常想定されるのは、貯湯タンクが空の場合であり、捨て水処理を行うコントロール部を備えたものにおいて、貯湯タンクが空の場合には捨て水処理を行わせないようにし、貯湯タンクへの給湯中または給湯完了後に捨て水処理することに、格別の困難性は認められない。
　
７．むすび
　以上のとおりであるから、本件特許発明１ないし３は、甲第５号証に記載された発明及び甲第６号証ないし甲第９号証に記載された周知技術に基づいて当業者が容易に発明をすることができたものであるから、本件請求項１ないし３に係る特許は、特許法第２９条第２項の規定に違反してなされたものであり、同法第１２３条第１項第２号に該当し、無効とすべきものである。
　審判に関する費用については、特許法第１６９条第２項の規定で準用する民事訴訟法第６１条の規定により、被請求人が負担すべきものとする。
　よって、結論のとおり審決する。